(57)【要約】      （修正有）【課題】タッチパネルの操作性を向上することができる携帯端末を提供する。【解決手段】ディスプレイ３５には、文字入力を行う画面の下部にQWERTYキー配列のキーボードが表示されている。領域設定部３０１は、キーボードを例えば行毎に分割して、４つの領域を設定する。タッチパネルのキーボードが押下されたことをタッチ入力検知部３２が検知すると、この検知位置が設定した任意の領域内である場合、領域指定部３０２は、検知位置を含む領域をアクティブ状態として指定し、その領域内で最も端のキーをカーソルで指定する。次に方向ボタンが押下されると、選択部３０３は、現在カーソルで指定されているキーから、同じ領域内の隣のキーにカーソルを移動させる。ユーザ所望のキーにカーソルが移動し、決定ボタンが押下されると、選択部３０３はカーソルで指定したキーを確定し、当該キーに対応する文字を文字入力画面へ表示する。【選択図】図２
2011232830.tif 000002
【特許請求の範囲】
【請求項１】
少なくとも操作キー画面を表示する表示部と、
前記表示部へ接触することにより入力を行う接触入力部と、
前記接触入力部での入力を検知する接触検知部と、
ハードキーの押下を検知するハードキー操作検知部と、
前記表示部に表示される前記操作キー画面を分割して複数の領域を設定する領域設定部と、
前記複数の領域の中から１つの領域を指定する領域指定部と、
前記領域指定部で指定した前記領域内の複数の操作キーのうち１つを、前記ハードキー操作検知部で検知した前記ハードキーの押下に基づき選択する選択部と、
を有することを特徴とする携帯端末。
【請求項２】
前記選択部は、前記領域指定部で指定した前記領域内から選択した１つの操作キーを、前記ハードキーの押下に基づき確定するよう構成される、
ことを特徴とする請求項１記載の携帯端末。
【請求項３】
前記領域指定部は、前記接触検知部が、前記表示部で表示される前記操作キー画面の任意の位置で入力を検知した場合、前記入力を検知した位置を含む１つの領域を指定する、
ことを特徴とする請求項１記載の携帯端末。
【請求項４】
前記表示部は、前記領域設定部で設定された領域に対応するタブキーを表示し、
前記領域指定部は、前記接触検知部が前記タブキーの押下を検知した場合、当該タブキーに対応する１つの領域を指定するよう構成される、
ことを特徴とする請求項１記載の携帯端末。
【請求項５】
前記表示部は、前記領域内の任意の操作キーを前記選択部が選択した場合、当該操作キーに対応する文字を、前記領域に対応するタブキーに表示するよう構成される、
ことを特徴とする請求項４記載の携帯端末。
【請求項６】
前記タブキーは、前記表示部のうち、前記操作キーの表示と重ならない位置に表示される、
ことを特徴とする請求項４記載の携帯端末。
【請求項７】
少なくとも１つの文字から類推される少なくとも１つの予測変換語を有する予測変換データベースと、
前記予測変換データベースより前記予測変換語を取得する予測変換部と、
をさらに有し、
前記表示部は、前記接触入力部で入力した文字に基づいて前記予測変換部が取得した少なくとも１つの予測変換語を表示し、
前記領域設定部は、前記表示部に表示された前記少なくとも１つの予測変換語の表示領域を設定し、
前記領域指定部は、前記領域設定部で設定した前記予測変換語の表示領域を押下したことを前記接触検知部が検知した場合、当該表示領域を指定し、
前記選択部は、前記領域指定部で指定した前記表示領域内の前記予測変換語のうち１つを、前記ハードキー操作検知部で検知した前記ハードキーの押下に基づき選択するよう構成される、
ことを特徴とする請求項１記載の携帯端末。
【請求項８】
前記選択部は、前記領域指定部で指定した前記表示領域内から選択した１つの予測変換語を、前記ハードキーの押下に基づき確定するよう構成される、
ことを特徴とする請求項７記載の携帯端末。
【請求項９】
複数の領域に区切られたウェブページを表示する表示部と、
前記表示部へ接触することにより入力を行う接触入力部と、
前記接触入力部での入力を検知する接触検知部と、
ハードキーの押下を検知するハードキー操作検知部と、
前記表示部に表示された前記ウェブページの領域の情報を取得して設定する領域設定部と、
前記表示部に表示される前記ウェブページの任意の位置で前記接触検知部が入力を検知した場合、前記領域設定部で設定した、当該位置を含む領域を指定する領域指定部と、
前記領域指定部で指定した前記領域内の複数の項目のうち１つを、前記ハードキー操作検知部で検知した前記ハードキーの押下に基づき選択する選択部と、
を有することを特徴とする携帯端末。
【請求項１０】
前記選択部は、前記領域指定部で指定した前記領域内から選択した１つの項目を、前記ハードキーの押下に基づき確定するよう構成される、
ことを特徴とする請求項９記載の携帯端末。
【発明の詳細な説明】
【技術分野】
【０００１】
本発明は、携帯電話等の携帯端末に係り、特にタッチパネルを備えた携帯端末に関する。
【背景技術】
【０００２】
従来、携帯電話機やＰＤＡ（Personal Digital Assistant）などの携帯端末において、その表示部にタッチパネルを搭載したものが知られている。このようなタッチパネルは、圧力変化や静電容量変化によって形成されるタッチセンサと表示部とを組み合わせており、例えば操作を要求するメニュー画面においてメニュー項目が表示された画面を直接タッチすることによって、タッチされた位置に該当する項目が選択されるようになっている。また、ユーザがタッチパネル上において指やタッチペンなどの物体を移動させ、物体の移動に合わせてスクロールする方法も知られている。
【０００３】
最近、タッチパネルにQWERTYキー等の入力キーボードを表示し、文字入力もタッチパネル上で行う携帯端末が増えている。入力キーボードは、QWERTYキー表示の他、従来の携帯端末に搭載されている文字入力用のハードキーと同様な配列であるテンキー表示等が切り替え可能に表示される。
【０００４】
特許文献１には、タッチパネルを備えた画像表示装置へソフトウェアキーボード機能を内蔵させる技術が開示されている。
【先行技術文献】
【特許文献】
【０００５】
【特許文献１】特開２００４−３２６４１３号公報
【発明の概要】
【発明が解決しようとする課題】
【０００６】
タッチパネルにキーボード表示を行う場合、キーボード表示以外の部分をなるべく広く表示するために、キーボードを画面下部に小さく表示するのが一般的である。よって、ユーザが指やスタイラスペンで文字入力を行おうとすると、キーが小さいため、ユーザが所望するキーに押下できなかったり、押下しようとするキーが見づらかったりし、ユーザの思うような文字入力がしにくいという問題がある。また、画面にウェブページが表示され、項目を押下して選択する場合も、文字入力と同様、表示が小さいためにユーザは所望の位置を押下しにくく、異なる項目を押下してしまうことも多い。また、タッチパネルへの押下は、ハードキーと異なり、押下したという実感が伴わず、誤動作につながりやすい。
【０００７】
本発明はこのような点を考慮してなされたもので、タッチパネルの操作性を向上することができる携帯端末を提供することを目的とする。
【課題を解決するための手段】
【０００８】
本発明の請求項１に係る携帯端末は、少なくとも操作キー画面を表示する表示部と、前記表示部へ接触することにより入力を行う接触入力部と、前記接触入力部での入力を検知する接触検知部と、ハードキーの押下を検知するハードキー操作検知部と、前記表示部に表示される前記操作キー画面を分割して複数の領域を設定する領域設定部と、前記複数の領域の中から１つの領域を指定する領域指定部と、前記領域指定部で指定した前記領域内の複数の操作キーのうち１つを、前記ハードキー操作検知部で検知した前記ハードキーの押下に基づき選択する選択部と、を有することを特徴とする。
【０００９】
また本発明の請求項９に係る携帯端末は、複数の領域に区切られたウェブページを表示する表示部と、前記表示部へ接触することにより入力を行う接触入力部と、前記接触入力部での入力を検知する接触検知部と、ハードキーの押下を検知するハードキー操作検知部と、前記表示部に表示された前記ウェブページの領域の情報を取得して設定する領域設定部と、前記表示部に表示される前記ウェブページの任意の位置で前記接触検知部が入力を検知した場合、前記領域設定部で設定した、当該位置を含む領域を指定する領域指定部と、前記領域指定部で指定した前記領域内の複数の項目のうち１つを、前記ハードキー操作検知部で検知した前記ハードキーの押下に基づき選択する選択部と、を有することを特徴とする。
【発明の効果】
【００１０】
本発明に係る携帯端末によれば、タッチパネルの操作性を向上することができる。
【図面の簡単な説明】
【００１１】
【図１】本発明の一実施形態に係る携帯端末の外観図。
【図２】同上の実施形態に係る携帯端末の概略構成を示すブロック図。
【図３】キーボードに複数の領域を設定する場合の動作を示すフローチャート。
【図４】キーボードを行毎に分割した領域を設定する場合の画面表示例を示す図。
【図５】キーボードを８分割した領域を設定する場合の画面表示例を示す図。
【図６】キーボードにタブキーを表示する場合の動作を示すフローチャート。
【図７】キーボードを行毎に分割した領域にタブキーを表示する場合の画面表示例を示す図。
【図８】キーボードを８分割した領域にタブキーを表示する場合の画面表示例を示す図。
【図９】単語の予測変換候補を選択する場合の動作を示すフローチャート。
【図１０】単語の予測変換候補を選択する場合の画面表示例を示す図。
【図１１】ウェブページのブロック毎における項目を選択する場合の動作を示すフローチャート。
【図１２】ウェブページのブロック毎における項目を選択する場合の画面表示例を示す図。
【発明を実施するための形態】
【００１２】
以下、本発明の実施形態を添付図面に基づいて説明する。
【００１３】
図１は、本発明に係る携帯端末１の実施形態を示す外観斜視図である。携帯端末１は、矩形の板状の筐体１１を備える。この筐体１１の一方の正面には、タッチパネル１４が大部分を占めて構成される。
【００１４】
このタッチパネル１４は、表示および入力の双方の機能を備える。タッチパネル１４は、ディスプレイ（図２のディスプレイ３５）と、上面に複数配置された接触動作を検知するための素子およびさらにその上に積層された透明な操作面（図２のタッチセンサ３２１）で構成される。
【００１５】
ディスプレイとしてのタッチパネル１４は、文字や画像などからなる表示画面を表示する領域を備える。またタッチパネル１４は、キーボード等の入力画面を表示する領域も同時に備える。このディスプレイは、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬディスプレイで構成される。
【００１６】
タッチセンサ（入力部）としてのタッチパネル１４は、操作面に対して接触する接触物（ユーザの指やスタイラスペン等）の動作を検知することにより指示を受け付ける。本実施形態における接触物の動作を検知する方法は、接触圧力の変化を感知する感圧方式を適用する。接触物の動作は、接触点の位置を示す座標情報で検知される。座標情報は、例えばタッチパネル１４の短辺方向および長手方向の二軸上の座標値で表わされる。
【００１７】
タッチパネル１４のある操作面には、筐体１１の長手方向における対向位置に、音声を入力するためのマイクロフォン１６と、音声を出力するためのスピーカ１５とがそれぞれ配置される。
【００１８】
筐体１１の側面にはハードキー５３が備えられる。ハードキー５３には、少なくともディスプレイに表示されるカーソルを移動する方向ボタン５３ａ、５３ｂと、カーソルで指定した文字、単語、または項目を確定する決定ボタン５３ｃとを含む。
【００１９】
図２は、携帯端末１の概略構成を示すブロック図である。携帯端末１は、制御部３０、電源回路部３１、タッチ入力検知部３２、ハードキー操作検知部３３、表示制御部３４、音声制御部３６、無線通信部３７、情報記憶媒体３８、記憶部３９、予測変換語ＤＢ２１がバスによって相互に通信可能に接続されて構成されている。
【００２０】
電源回路部３１は、電力供給源（バッテリ等）を備え、所定の操作キーを介した入力に基づいて携帯端末１の電源のＯＮ／ＯＦＦ状態を切り替える。電源回路部３１は、電源がＯＮ状態の場合に電力供給源から各部に対して電力を供給して、携帯端末１を動作可能にする。
【００２１】
タッチ入力検知部３２はタッチセンサ３２１に対する入力インタフェースを備える。タッチ入力検知部３２は、タッチセンサ３２１で検知した接触検知信号より、接触点の座標情報を生成し、制御部３０に伝送する。ハードキー操作検知部３３は、ハードキー５３に対する入力インタフェースを備え、ハードキー５３の押下（プレス）またはリリースの操作を検知すると、それらの操作を示す信号を生成して、この信号を制御部３０に伝送する。
【００２２】
表示制御部３４はディスプレイ３５に対する表示インタフェースを備える。表示制御部３４は、制御部３０の制御に基づいて、文書データや画像等をディスプレイ３５に表示させる。また表示制御部３４は、キーボード設定部３０５で設定した任意の配列のキーボードをディスプレイ３５に表示させる。
【００２３】
音声制御部３６は、制御部３０の制御に基づいて、マイクロフォン１６で集音されたアナログ音声信号をデジタル音声信号に変換する。また音声制御部３６は、デジタル音声信号を取得すると、制御部３０の制御に基づいて、このデジタル音声信号をアナログ音声信号に変換し、スピーカ１５から音声として出力する。
【００２４】
無線通信部３７は、制御部３０の制御に基づいて、基地局からアンテナ３７ａを介して受信した受信信号を処理してデータを復元する。このデータは、制御部３０の指示により、音声制御部３６に伝送されてスピーカ１５から出力されたり、表示制御部３４に伝送されてディスプレイ３５に表示されたり、または記憶部３９に記録されたりする。また無線通信部３７は、制御部３０の制御に基づいて、音声制御部３６にてデジタル音声信号に変換した音声データや、タッチセンサ３２１やハードキー５３から入力されたデータや記憶部３９に記憶されたデータを取得すると、これらのデータの処理を行い、基地局に対してアンテナ３７ａを介して送信する。
【００２５】
予測変換語ＤＢ２１は、入力された文字から類推される単語に予測変換を行う際の、予測変換語を格納する。
【００２６】
情報記憶媒体３８（コンピュータにより読み取り可能な媒体）は、プログラムやデータなどを格納するものであり、その機能は、ハードディスク、或いはメモリ（Ｆｌａｓｈ Ｍｅｍｏｒｙ、ＲＯＭ：Ｒｅａｄ  Ｏｎｌｙ  Ｍｅｍｏｒｙ）などにより実現できる。情報記憶媒体３８は、本実施形態の各部としてコンピュータを機能させるためのプログラム（各部の処理をコンピュータに実行させるためのプログラム）、複数のアプリケーション等が記憶される。
【００２７】
制御部３０は、携帯端末１の総括的な制御を行うとともに、その他の様々な演算処理や制御処理などを行う演算装置である。制御部３０の機能は各種プロセッサ（ＣＰＵ、ＤＳＰ等）、ＡＳＩＣ（ゲートアレイ等）などのハードウェアや、プログラムにより実現できる。制御部３０は、情報処理媒体３８に記憶された各種プログラムに基づいて本実施形態の種々の処理を行う。
【００２８】
また制御部３０は、領域設定部３０１、領域指定部３０２、選択部３０３、予測変換部３０４、キーボード設定部３０５を含む。キーボード設定部３０５は、記憶部３９に格納される、QWERTYキー配列、テンキー配列、五十音配列等といった数種類のキーボード配列の中から、ユーザの操作に基づき任意のキーボード配列を設定しディスプレイ３５に表示する。またキーボード設定部３０５は、領域設定部３０１で設定した領域にタブキーを割り当てる。詳細は後述する。
【００２９】
領域設定部３０１は、ディスプレイ３５に表示された所定の画面を、あらかじめ設定された複数の領域に分割設定する。このとき領域設定部３０１は、ユーザがタッチパネル１４を押下しやすい大きさの領域に設定する。この、領域の分割設定が可能な画面とは、例えばキーボード配列の画面、ウェブページの表示画面等である。例えば、キーボード設定部３０５で設定されディスプレイ３５に表示されたキーボードについて、領域設定部３０１は、４分割や８分割等複数のキーの集合に分割し、キーの各集合の領域を設定する。また領域設定部３０１は、１ページ内に複数の表示ブロック（領域）を有するウェブページをディスプレイ３５に表示する際、そのウェブページのHTMLデータを解析して領域の情報を取得し、領域を設定する。詳細は後述する。
【００３０】
領域指定部３０２は、領域設定部３０１で設定した領域のうち、タッチパネル１４に押下された位置を含む領域をアクティブ状態として指定する。アクティブ状態となった領域では、ハードキー５３からの操作を受け付けることが可能であり、アクティブ状態となった領域内の任意の選択肢（キー、項目等）にカーソルを移動させる。選択部３０３は、領域指定部３０２で指定した、アクティブ状態となっている領域内にある少なくとも１つの選択肢（キー、項目等）を選択し確定する。詳細は後述する。
【００３１】
予測変換部３０４は、予測変換語ＤＢ２１を参照して、入力された文字の予測変換語の候補を取得し、ディスプレイ３５に表示する。
【００３２】
記憶部３９は、制御部３０や無線通信部３７などのワーク領域となるもので、その機能はＲＡＭ（Ｒａｎｄｏｍ  Ａｃｃｅｓｓ  Ｍｅｍｏｒｙ）などにより実現できる。また、前述したように、キーボード設定部３０５で設定される数種類のキーボード配列を格納する。詳細は後述する。
【００３３】
次に、上記構成の携帯端末１における動作の一例について説明する。
【００３４】
＜（１）キーボード内で領域を設定する場合の動作＞
ディスプレイ３５に表示されるキーボードに複数の領域を設定する場合の動作の一例について、図３のフローチャートおよび図４の画面表示例を参照して説明する。
【００３５】
ユーザが例えばメール新規作成画面等といった文字入力を行う画面を開き、タッチパネル１４の所定のボタンを押下してQWERTYキー配列のキーボード表示を指示すると、キーボード設定部３０５は記憶部３９よりQWERTYキー配列を呼び出し、表示制御部３４を介して、ディスプレイ３５に表示されているメール新規作成画面の下部に表示する（ステップＳ１０１）。次に領域設定部３０１は、ステップＳ１０１で表示したQWERTYキー配列のキーボードを例えば行毎に分割して、領域を設定する（ステップＳ１０３）。QWERTYキー配列の場合は図４に示すように４行で表示されるので、４つの領域が設定される。
【００３６】
次に、タッチパネル１４のQWERTYキー配列表示部分が押下されたことを、タッチ入力検知部３２がタッチセンサ３２１を介して検知すると（ステップＳ１０５で「Ｙｅｓ」）、この検知位置がステップＳ１０３で設定した任意の領域内である場合に（ステップＳ１０７で「Ｙｅｓ」）、領域指定部３０２は、検知位置を含むステップＳ１０３で設定した領域をアクティブ状態として指定し、その領域内で最も端のキーをカーソルで指定する（ステップＳ１０９）。例えば図４で、「ｒ」キーと「ｔ」キーの間が押下されると、領域指定部３０２はQWERTYキー配列の最も上の行をアクティブ状態として指定し、最も左端の「ｑ」キーをカーソルで指定する。
【００３７】
次に、方向ボタン５３ａ、５３ｂが押下されたことをハードキー操作検知部３３が検知すると（ステップＳ１１１で「Ｙｅｓ」）、選択部３０３は、現在カーソルで指定されているキーから、同じ領域内の隣のキーにカーソルを移動させる（ステップＳ１１３）。例えば図４で、方向ボタン５３ｂが押下される毎に選択部３０３はカーソルを例えば「ｔ」、「ｒ」、「ｅ」、…の順に左へ移動させ、方向ボタン５３ａが押下される毎に選択部３０３はカーソルを「ｑ」、「ｗ」、「ｅ」、…の順に右へ移動させる。カーソルがキーボード左端の「ｑ」を指定している時に方向ボタン５３ｂが押下され、カーソルを左へ進める指示がされた場合、「ｑ」の左隣にはキーが無いため、選択部３０３はカーソルをキーボードの反対側の端（右端）にある「ｐ」へ移動させてもよい。
【００３８】
所望のキーにカーソルが移動し、決定ボタン５３ｃが押下されたことをハードキー操作検知部３３が検知すると（ステップＳ１１５で「Ｙｅｓ」）、選択部３０３はカーソルで指定したキーを確定し、当該キーに対応する文字をメール新規作成画面へ表示する（ステップＳ１１７）。
【００３９】
なお、領域設定部３０１で設定される領域は、上述した行毎の領域に限らず、ユーザがタッチパネル１４を押下しやすい大きさであればよく、例えば図５に示すようにキーボードを行毎に分割し、更にその行も半分に分割して合計８分割した領域を設定しても良い。この場合、領域内のキーの数が少なくなるので、キー選択時における方向ボタン５３ａ、５３ｂの押下回数も少なくて済む。
【００４０】
＜（２）タブ表示を設定する場合の動作＞
ディスプレイ３５に表示されるキーボードにタブキーを表示する場合の動作の一例について、図６のフローチャートおよび図７の画面表示例を参照して説明する。
【００４１】
ユーザが例えばメール新規作成画面等といった文字入力を行う画面を開き、タッチパネル１４の所定のボタンを押下してQWERTYキー配列のキーボード表示を指示すると、キーボード設定部３０５は記憶部３９よりQWERTYキー配列を呼び出し、表示制御部３４を介してディスプレイ３５に表示されているメール新規作成画面の下部に表示する（ステップＳ２０１）。次に領域設定部３０１は、ステップＳ２０１で表示したQWERTYキー配列を例えば行毎に分割して領域を設定する（ステップＳ２０３）。次にキーボード設定部３０５は、ステップＳ２０３で設定した各領域に対応するタブキーをそれぞれ割り当て、割り当てたタブキーを画面の一方の端に表示させる（ステップＳ２０５）。
【００４２】
図７の例では、図４の領域設定と同様に表示されたQWERTYキー配列を行毎の４つの領域に設定する。そして各行（領域）に対応する４つのタブキーを割り当て、左端にQWERTYキー配列の行の並び順に表示する。各タブキーには、各行の左端のキーの文字（上から順に「ｑ」、「ａ」、「Shift」、「Ctrl」）を表示している。なお、タブキーはユーザが押下しやすいよう、QWERTYキー配列のキーよりも大きいサイズで表示する。また、タブキーの表示位置は、ユーザが携帯端末１を持った手の親指でタブキーを押下できるよう、タッチパネルの左右の端どちらにでも設定可能である。
【００４３】
任意のタブキーが押下されたことをタッチ入力検知部３２がタッチセンサ３２１を介して検知すると（ステップＳ２０７で「Ｙｅｓ」）、領域指定部３０２は当該タブキーが割り当てられた領域をアクティブ状態として指定し、その領域内で最も端のキーをカーソルで指定する（ステップＳ２０９）。図７で、上から２番目のタブキーが押下されると、領域指定部３０２はこのタブキーに対応するQWERTYキー配列の上から２番目の行をアクティブ状態として指定し、最も左端の「ａ」キーにカーソルを移動させる。
【００４４】
以降の文字を確定する動作（ステップＳ２１１〜ステップＳ２１７）は、（１）の例における図３のステップＳ１１１〜Ｓ１１７と同様、方向ボタン５３ａ、５３ｂと決定ボタン５３ｃを用いて行われるため、説明を省略する。なお、タブキーはQWERTYキー配列のキーよりも大きいサイズであるため、選択部３０３がカーソルを移動させる際、現在カーソルのあるキーの文字を、当該領域に対応するタブキーに表示させ、ユーザに文字を視認しやすくしても良い。また、（１）の例では直接QWERTY配列内のキーを押下すると領域の指定になり、該当する文字の入力にはならないが、この例では、タブキーを用いず、QWERTYキー配列内の所望のキーを直接押下して、文字入力を行うことも可能である。
【００４５】
また、領域設定部３０１で設定される領域は、上述した行毎の４つの領域に限らず、例えば図８に示すように８つの領域を設定しても良い。図８の場合、タブキーは左端と真ん中にそれぞれ４つずつ表示しており、各タブキーは、タブキーのすぐ右側に表示されたQWERTYキー配列における領域をそれぞれ割り当てられている。例えば、「ｙ」が表示されているタブキーは、「ｙ」から「ｐ」までの５つのキーで設定される領域が割り当てられている。
【００４６】
＜（３）予測変換候補を選択する場合の動作＞
ディスプレイ３５に表示される予測変換候補の単語を選択する場合の動作の一例について、図９のフローチャートおよび図１０の画面表示例を参照して説明する。
【００４７】
ユーザが例えばメール新規作成画面等といった文字入力を行う画面を開き、タッチパネル１４の所定のボタンを押下してQWERTYキー配列のキーボード表示を指示すると、キーボード設定部３０５は記憶部３９よりQWERTYキー配列を呼び出し、表示制御部３４を介して、ディスプレイ３５に表示されている文字入力画面の下部に表示する（ステップＳ３０１）。次に、ユーザがQWERTYキー配列のキーボードを用いて文字入力を行うと（ステップＳ３０３）、予測変換部３０４は、予測変換語ＤＢ２１を参照して、入力された文字から予測される予測変換語の候補を取得し、ディスプレイ３５のQWERTYキー配列のキーボード表示のすぐ上部に、取得した予測変換語の候補を表示する予測変換語表示領域を設けて表示する（ステップＳ３０５）。
【００４８】
ユーザは続けてディスプレイ３５のQWERTYキー配列のキーボードを押下して文字入力を行っても良いし、予測変換語表示領域から該当する単語を選んでも良い。タッチ入力検知部３２がタッチセンサ３２１を介してタッチパネル１４への押下を検知し（ステップＳ３０７で「Ｙｅｓ」）、検知位置が予測変換語表示領域内である場合（ステップＳ３０９で「Ｙｅｓ」）、領域指定部３０２は、予測変換語表示領域をアクティブ状態として指定し、この領域内に表示されている先頭の単語をカーソルで指定する（ステップＳ３１１）。例えば図１０で、ユーザが予測変換語表示領域の任意の位置を押下すると、領域指定部３０２は、この領域全体をアクティブ状態とし、先頭の単語「こんにちは」をカーソルで指定する。検知位置が予測変換語表示領域外である場合は（ステップＳ３０９で「Ｎｏ」）、ユーザが引き続きキーボードを押下して文字入力を行うと考えられ、ステップＳ３０３の処理に戻る。
【００４９】
次に、方向ボタン５３ａ、５３ｂが押下されたことをハードキー操作検知部３３が検知すると（ステップＳ３１３で「Ｙｅｓ」）、選択部３０３は、予測変換語表示領域に表示されている、現在カーソルで指定されている単語から次の単語にカーソルを移動させる（ステップＳ３１５）。例えば、方向ボタン５３ｂが押下される毎に選択部３０３はカーソルを単語の並び順に移動させ、方向ボタン５３ａが押下される毎に選択部３０３はカーソルを単語の並び順と逆に移動させる。
【００５０】
所望の単語にカーソルが移動し、決定ボタン５３ｃが押下されたことをハードキー操作検知部３３が検知すると（ステップＳ３１７で「Ｙｅｓ」）、選択部３０３はカーソルで指定された単語を確定し、当該単語を文字入力画面へ表示する（ステップＳ３１９）。
【００５１】
＜（４）ウェブページ上の項目を選択する場合の動作＞
別の例として、ディスプレイ３５に表示されるウェブページのブロック毎における項目を選択する場合の動作の一例について、図１１のフローチャートおよび図１２の画面表示例を参照して説明する。
【００５２】
ユーザが図１２のような複数の表示ブロック（領域）を有するウェブページの表示を指示すると（ステップＳ４０１）、領域設定部３０１は、このウェブページのHTMLデータを解析してHTMLデータに記述されている領域の情報を取得し（ステップＳ４０３）、タッチパネル１４で押下を検知したときに指定する領域を設定する（ステップＳ４０５）。
【００５３】
次に、タッチパネル１４が押下されたことをタッチ入力検知部３２がタッチセンサ３２１を介して検知すると（ステップＳ４０７で「Ｙｅｓ」）、この検知位置がステップＳ４０５で設定した任意の領域内である場合（ステップＳ４０９で「Ｙｅｓ」）、領域指定部３０２は、検知位置を含む領域をアクティブ状態として指定し、その領域内の先頭の項目をカーソルで指定する（ステップＳ４１１）。例えば図１２で、メニュー欄のブロック内の任意の位置が押下されると、領域指定部３０２はメニュー欄をアクティブ状態として指定し、先頭の項目「ニュース」をカーソルで指定する。
【００５４】
次に、方向ボタン５３ａ、５３ｂが押下されたことをハードキー操作検知部３３が検知すると（ステップＳ４１３）、選択部３０３は、ステップＳ４１１で指定した領域に表示されている、現在カーソルで指定されている項目から次の項目にカーソルを移動させる（ステップＳ４１５）。例えば図１２では、メニュー欄において、方向ボタン５３ｂが押下される毎に選択部３０３はカーソルを「ニュース」、「天気」、「音楽」、…と１つずつ下の項目に移動させ、方向ボタン５３ａが押下される毎に選択部３０３はカーソルを「乗換」、「地図」、「辞書」、…と１つずつ上の項目に移動させる。カーソルがメニュー欄最上部の項目「ニュース」を指定しているときに方向ボタン５３ａが押下され、カーソルを上へ進める指示がされた場合、選択部３０３はカーソルをメニュー欄最下部の項目「株式」へ移動させてもよい。
【００５５】
所望の項目にカーソルが移動し、決定ボタン５３ｃが押下されたことをハードキー操作検知部３３が検知すると（ステップＳ４１７で「Ｙｅｓ」）、選択部３０３はカーソルで指定された項目を確定し、当該項目のリンク先のウェブページをディスプレイ３５に表示する（ステップＳ４１９）。
【００５６】
以上より本発明は、タッチパネルを押下して入力を行う携帯端末において、あらかじめ領域を設定し、設定した領域内の任意の位置が押下された場合、当該領域をアクティブ状態として指定し、アクティブ状態となった領域内の任意の選択肢（例えば先頭の項目等）にカーソルを移動させる。そして、ハードキーが押下されることで、領域内の各項目を選択する。これにより、タッチパネルの小さい携帯端末でも、ユーザが容易に押下できる大きさの領域に分割され、領域を指定した後に細かい項目をハードキーで選択する事ができるので、ユーザの誤入力を防ぎ、操作性を向上することができる。
【００５７】
以上、本発明の実施形態について図面を参照して詳述してきたが、具体的な構成はこの実施形態に限られるものではなく、本発明の要旨を逸脱しない範囲の設計変更等も含まれる。
【００５８】
例えば、上記（１）、（２）の例では、領域を行毎（横）に分割して設定したが、領域を列毎（縦）に分割して設定しても良い。
【００５９】
また、上記実施形態における携帯端末の代わりに、無線通信機能を備えた携帯型パーソナル・コンピュータ又はＰＤＡ（Personal Digital Assistance）、携帯音楽プレイヤー、携帯ビデオカメラ、携帯ゲーム機等に本発明を適用してもよい。
【符号の説明】
【００６０】
１…携帯端末、１１…筐体、１４…タッチパネル、１５…スピーカ、１６…マイクロフォン、２１…予測変換語ＤＢ、３０…制御部、３０１…領域設定部、３０２…領域指定部、３０３…選択部、３０４…予測変換部、３０５…キーボード設定部、３１…電源回路部、３２…タッチ入力検知部、３２１…タッチセンサ、３３…ハードキー操作検知部、３４…表示制御部、３５…ディスプレイ、３６…音声制御部、３７…無線通信部、３８…情報記憶媒体、３９…記憶部、５３…ハードキー。
【図１】
2011232830.tif 000003
【図２】
2011232830.tif 000004
【図３】
2011232830.tif 000005
【図４】
2011232830.tif 000006
【図５】
2011232830.tif 000007
【図６】
2011232830.tif 000008
【図７】
2011232830.tif 000009
【図８】
2011232830.tif 000010
【図９】
2011232830.tif 000011
【図１０】
2011232830.tif 000012
【図１１】
2011232830.tif 000013
【図１２】
2011232830.tif 000014